(57)【特許請求の範囲】
【請求項１】
固定部に設けた雄ネジ付き固定側配管口に対してＵ字管の両端に設けたナット部材付き可動側配管口を任意に継ぎ換えることによって管路の切換を行う形式の手動管路切換装置であって、ナット部材の外周面に大径ギヤを設け、この大径ギヤに対して、ナット部材の進退方向と平行の向きの軸棒を介してＵ字管に支承した小径ギヤを噛合させ、軸棒の外端をスパナ等工具で回すことによってナット部材を脱着するようにしたことを特徴とする手動管路切換装置。
【請求項２】
固定部に設けた雄ネジ付き固定側配管口に対してＵ字管の両端に設けたナット部材付き可動側配管口を任意に継ぎ換えることによって管路の切換を行う形式の手動管路切換装置であって、ナット部材の外周面に設けた大径ギヤと、Ｕ字管の外側曲面にナット部材の進退方向と平行の向きとして立設した先端にアーム着脱用角軸をもつ支軸と、上記大径ギヤと噛合自在の小径ギヤを下端に設けた軸棒と、軸棒の上端部に同軸棒を中心として回転自在の状態として支承したアーム部材と、アーム部材の先端部に設けた上記アーム着脱用角軸と嵌合自在の連結用角孔と、上記軸棒の上端に設けたスパナ等工具掛け用角軸もしくは角孔と、を備えて成ることを特徴とする手動管路切換装置。
【発明の詳細な説明】
【０００１】
【発明の属する技術分野】
本発明は、牛乳、ジュース、コーヒー等液体料の加熱処理や冷却処理に用いる液体処理装置に組込んで用いる手動管路切換装置に関し、狭い場所で使用するのに効を奏するように工夫した手動管路切換装置に関するものである。
【０００２】
【従来の技術】
従来知られているこの種の、固定部に設けた雄ネジ付き固定側配管口に対してＵ字管の両端に設けたナット部材付き可動側配管口を任意に継ぎ換えることによって管路の切換を行う形式の手動管路切換装置は、ナット部材に直にスパナ等工具を掛けてこれを回し外したり回し締めたりしていた。このために狭い場所に設置されたときには、スパナ等工具が回し辛く、工具を取り落してしまったり、切換作業に時間がかかったり、他の部分に損傷を与えてしまったり、する等の不都合があるのみならずこれ等不都合を回避するために敢えて広いスペースを確保して設置する使い方をすることが往々にあって、省スペース化および小型化に充分に対応し切れているとは言えないものであった。
【０００３】
【発明が解決しようとする課題】
本発明は、上記従来の技術において述べたような使用上の不都合および省スペース化・小型化への対応の不充分さを解消する新規の手動管路切換装置を提供することを目的とするものである。
【０００４】
【課題を解決するための手段】
上記目的を達成するために本発明に係る手動管路切換装置は、固定部に設けた雄ネジ付き固定側配管口に対してＵ字管の両端に設けたナット部材付き可動側配管口を任意に継ぎ換えることによって管路の切換を行う形式の手動管路切換装置であって、ナット部材の外周面に大径ギヤを設け、この大径ギヤに対して、ナット部材の進退方向と平行の向きの軸棒を介してＵ字管に支承した小径ギヤを噛合させ、軸棒の外端をスパナ等工具で回すことによってナット部材を脱着するようにしたものであり、
また、固定部に設けた雄ネジ付き固定側配管口に対してＵ字管の両端に設けたナット部材付き可動側配管口を任意に継ぎ換えることによって管路の切換を行う形式の手動管路切換装置であって、ナット部材の外周面に設けた大径ギヤと、Ｕ字管の外側曲面にナット部材の進退方向と平行の向きとして立設した先端にアーム着脱用角軸をもつ支軸と、上記大径ギヤと噛合自在の小径ギヤを下端に設けた軸棒と、軸棒の上端部に同軸棒を中心として回転自在の状態として支承したアーム部材と、アーム部材の先端部に設けた上記アーム着脱用角軸と嵌合自在の連結用角孔と、上記軸棒の上端に設けたスパナ等工具掛け用角軸もしくは角孔と、を備えて成るものである。
【０００５】
【実施例】
図に示す実施例は、固定板１の中央点個所と同中央点個所を中心とする円線上個所とに設けた固定側配管口２、３に対して両端に可動側配管口４、５をもつＵ字管６を任意に継ぎ換えることによって管路の切換を行う形式の管路切換装置に関するものであって、固定側配管口２、３の口縁部の外周面に設けた雄ネジ８と可動側配管口４、５の口縁に遊転自在および抜外不能に取付けたナット部材９、１０とを以て上記任意継ぎ換え操作をなすようにすると共にナット部材９、１０の外周面に歯を刻設して同面に大径ギヤ１１、１２を形成し、またＵ字管６外側曲面の両端寄り個所に支軸１３、１４を立設し、この支軸１３、１４の先端に短い四角形のアーム着脱用角軸１５、１６を設けると共にこれとは別個に、下端に上記大径ギヤ１１、１２と噛合自在の小径ギヤ１９を設けた軸棒１８を構成し、この軸棒１８の上端に細径部２０を設けて当該細径部２０にアーム部材２１を抜止ワッシャ２２および軸受メタル２３を介して抜外不能および回転自在に支承し、このアーム部材２２の先端部に上記アーム着脱用角軸１５、１６と嵌合自在の連結用角孔２４を設け、この連結用角孔２４と角軸１５、１６との嵌合状態時には小径ギヤ１９が大径ギヤ１１、１２に噛合するようにすると共に上記軸棒１８の上端をアーム部材２２の上側に突出して当該突出部を六角形のスパナ等工具掛け用の角軸２５としたものである。
【０００６】
図中符号２７はＵ字管６の内側曲面に立設した棒２８の先端位置に対して反応する近接スイッチ、２９は支軸１３、１４の上端部３０が回転自在に嵌合してアーム部材２２の一つの水平面に沿う回転運動をスムーズにするための軸承孔、３１はシールを示す。
【０００７】
上記実施例においてＵ字管６を継ぎ換える場合には、ナット部材９、１０を雄ネジ８から外したり再び継いだりすることが必要であり、このときにはその外したい方に対応している支軸１３の上端に設けたアーム着脱用角軸１５とアーム部材２２の先端部に設けた角孔２４および支軸１３の上端部３０と軸承孔２９を嵌着することによって小径ギヤ１９と大径ギヤ１１を噛合状態とし、この噛合状態において工具掛け用角軸２５にスパナ（図示せず）を掛けて軸棒１８すなわち小径ギヤ１９を回し、この小径ギヤ１９の回転により大径ギヤ１１すなわちナット部材９を回すことによってこれを外し、また再び継ぎたいときにはナット部材９を手回しできる所まで螺入したのちに上記外しの場合と同様にして小径ギヤ１９と大径ギヤ１１を噛合状態とし、この噛合状態において上記スパナによる回し操作を逆回しで行ってナット部材９を締め付ける等の用法で使用するものである。
【０００９】
【発明の効果】
本発明に係る手動管路切換装置は、上記の通りであるので、小径ギヤの軸棒の外端をスパナ等工具を以て回す操作によってナット部材の脱着すなわち固定側配管口に対する可動側配管口の連結解消または再連結を行うことができるものであり、Ｕ字管の継ぎ換え作業の場合には奥まった狭い所に存在するナット部材に直にスパナ等工具を掛ける必要がなく、オープンスペースに存在する軸棒の外端にスパナ等工具を掛けて同作業を行うことができるものであって、上記したような使用上の不都合も省スペース化および小型化への不充分さも悉く解消できるものである。
【図面の簡単な説明】
【図１】本発明の実施例を示す一部切截側面図である。
【図２】同じく正面図である。
【符号の説明】
１  固定板
２、３  固定側配管口
４、５  可動側配管口
６  Ｕ字管
８  雄ネジ
９、１０  ナット部材
１１、１２  大径ギヤ
１３、１４  支軸
１５、１６  アーム脱着用角軸
１８  軸棒
１９  小径ギヤ
２０  細径部
２１  アーム部材
２２  抜止ワッシャ
２３  軸受メタル
２４  連結用角孔
２５  工具掛け用角軸
２７  近接スイッチ
２８  棒
２９  軸承孔
３０  上端部
３１  シール
【図１】
0004184482.tif 000002
【図２】
0004184482.tif 000003